(57)【要約】      （修正有）【課題】スピーカを小型化でき、かつ、スピーカを高性能化できるダンパーを提供する。【解決手段】ダンパー１００は、略長円形状を有し、細長型のスピーカに用いることができる。ダンパー１００は、内周部１１０と、外周部１２０と、内周部１１０と外周部１２０とを接続するコルゲーション１３０とを有する。コルゲーション１３０には、複数の山部１３１ａ，１３１ｂ，１３１ｃ，１３１ｄ及び谷部１４１ａ，１４１ｂ，１４１ｃが設けられる。短軸部１５０のコルゲーション１３０の全長と長軸部１６０のコルゲーション１３０の全長とは、略等しい。また、内周部１１０側の第１の山部１３１ａは、平面視でボイスコイルボビンの外周形状と略相似の形状となる円形を有している。第１の山部１３１ａの高さは、略一定である。長円形であっても、長軸部１６０と短軸部１５０とでダンパー１００の振幅量を略等しくすることができる。【選択図】図５
2013051513.tif 000002
【特許請求の範囲】
【請求項１】
短軸方向の寸法よりも長軸方向の寸法が長いダンパーであって、
ボイスコイルボビンに接続される内周部と、
スピーカ本体に接続される外周部と、
複数の山部及び谷部を有し、前記内周部と外周部とを接続するコルゲーションとを備え、
前記短軸方向の前記コルゲーションの全長と、前記長軸方向の前記コルゲーションの全長とは略等しい、ダンパー。
【請求項２】
前記複数の谷部の高さは互いに略一定であり、
前記短軸において、前記山部の高さは、前記内周部側から前記外周部側に近くなるほど高く、
前記長軸において、前記山部の高さは、前記内周部側から前記外周部側に近くなるほど低い、請求項１に記載のダンパー。
【請求項３】
前記内周部側の山部は、平面視で前記ボイスコイルボビンの外周形状と略相似の形状を有し、その高さは略一定である、請求項１又は２に記載のダンパー。
【請求項４】
前記複数の山部は、前記内周部側のものを除いて、それぞれ、前記短軸において最も高さが高く、前記短軸から前記長軸に近づくにつれて高さが低くなる、請求項１から３のいずれか１項に記載のダンパー。
【請求項５】
前記長軸方向にある山部及び谷部の数は、前記短軸方向にある山部及び谷部の数よりも大きく、
前記長軸において前記外周部側に位置する少なくとも２つの山部は、共に前記短軸に近づくにつれて合同し、前記短軸において前記外周部に最も近い１つの山部となる、請求項１から４のいずれか１項に記載のダンパー。
【請求項６】
前記長軸において前記外周部側に位置する少なくとも２つの山部のうち少なくとも１つは、前記長軸における前記内周部側の山部よりも高さが低く、かつ、前記短軸に近づくにつれて高さが変化しながら他の山部に合同する、請求項５に記載のダンパー。
【請求項７】
前記ダンパーは、
繊維状の布にフェノール樹脂を含浸し熱成型すること、
フィルム状の板を成型すること、及び
熱可塑性樹脂を射出成型すること
のいずれかにより形成されている、請求項１から６のいずれか１項に記載のダンパー。
【請求項８】
請求項１から７のいずれか１項に記載のダンパーを備える、スピーカ。
【発明の詳細な説明】
【技術分野】
【０００１】
この発明は、ダンパー及びそれを用いたスピーカに関し、特に、幅が狭い細長型のダンパー及びそれを用いたスピーカに関する。
【背景技術】
【０００２】
スピーカは、家庭用音響機器や車載用音響機器だけでなく、パーソナルコンピュータ、携帯電話、ゲーム機など、様々な電子機器に広く使用されている。電子機器は軽薄短小化が進んでおり、スピーカに対しても、より小型化、及び高性能化が求められている。スピーカの高性能化としては、具体的には、高音質化に加えて、耐入力性の向上や、広帯域再生の実現などが求められている。
【０００３】
音響機器や電子機器の軽薄短小化に際しては、薄型で幅が狭いスピーカを用いることが必要になる。スピーカの幅を狭くすると、スピーカの振動板の幅が狭く、面積が小さくなるため、スピーカの出力音圧が低下してしまう。スピーカの出力音圧を確保するためには、幅を狭くしたままで一方向に延ばして細長型とした振動板が用いられることがある。
【０００４】
しかしながら、このような細長型の振動板を用いたスピーカでは、振動系（振動板及びダストキャップなどをいう）を支持するためのダンパーの幅も狭くなる。ダンパーの幅が狭くなると、ダンパーの可動域が狭くなり、最低共振周波数が上昇してしまう。他方、ダンパーの動きを向上させるためにダンパーを極度に柔らかくすると、ダンパー本来の働きである、振動系を安定させて振幅を小さくする機能が損なわれる。その結果として、スピーカの耐入力性を向上させることができなくなる。
【０００５】
スピーカの音質を向上させるためには、最低共振周波数をできるだけ低くする必要がある。また、スピーカの耐入力性を向上させるためには、入力時の振動系の振幅を安定させる必要がある。しかしながら、従来、細長型のスピーカでは、ダンパーの幅が制限されるので、このようなスピーカの音質や耐入力性などの性能が制限されるという問題があった。
【０００６】
このような問題点に関して、例えば下記特許文献１には、ダンパーの形状を長円形にしたスピーカが開示されている。このスピーカにおいて、ダンパーは、長径方向の山部と谷部との間隔が短径方向の山部と谷部との間隔よりも広く、かつ、長径方向の山部及び谷部の高さが最も高くなるように構成されている。このスピーカでは、振動系の振幅を安定させ、かつ、最低共振周波数を低下させ、音質と耐入力性との改善が図られている。
【０００７】
なお、長径方向と短径方向とで形状が異なる略長円形のダンパーに関しては、次のような構造のものが知られている。
【０００８】
下記特許文献２には、長径方向の山部及び谷部の数が、短径方向の山部及び谷部の数とは異なるダンパーの構造が開示されている。
【０００９】
下記特許文献３には、山部と谷部との幅（間隔）が一定でなく、コルゲーションの一部が切断されたダンパーの構造が開示されている。
【００１０】
下記特許文献４には、長円形のダンパーの構造であって、短径方向の部分の中央に「くびれ」や「付加谷部」を設けたものが開示されている。
【先行技術文献】
【特許文献】
【００１１】
【特許文献１】特開２００９−４９７１９号公報
【特許文献２】特開平１−２６９３９６号公報
【特許文献３】特開昭６０−２４２７９５号公報
【特許文献４】特開２０１０−２７８７９３号公報
【発明の概要】
【発明が解決しようとする課題】
【００１２】
しかしながら、特許文献１に記載されているダンパーは、長径方向の部分（長径部）と短径方向の部分（短径部）とで山部及び谷部の数が同じであって、長径部の山部及び谷部の幅が広く、その高さも高いものである。そのため、長径部の振幅量と短径部の振幅量とには差が生じるという問題がある。特に、大入力時においては、長径部と短径部とで振幅方向の動きが異なり、振動系のローリング現象が発生するおそれがある。
【００１３】
特許文献２から４には、上記のような問題点に対する有効な解決策は開示されていない。
【００１４】
この発明はそのような問題点を解決するためになされたものであり、スピーカを小型化でき、かつ、スピーカを高性能化できるダンパー及びそれを用いたスピーカを提供することを目的としている。
【課題を解決するための手段】
【００１５】
上記目的を達成するためこの発明のある局面に従うと、短軸方向の寸法よりも長軸方向の寸法が長いダンパーは、ボイスコイルボビンに接続される内周部と、スピーカ本体に接続される外周部と、複数の山部及び谷部を有し、内周部と外周部とを接続するコルゲーションとを備え、短軸方向のコルゲーションの全長と、長軸方向のコルゲーションの全長とは略等しい。
【００１６】
好ましくは複数の谷部の高さは互いに略一定であり、短軸において、山部の高さは、内周部側から外周部側に近くなるほど高く、長軸において、山部の高さは、内周部側から外周部側に近くなるほど低い。
【００１７】
好ましくは内周部側の山部は、平面視でボイスコイルボビンの外周形状と略相似の形状を有し、その高さは略一定である。
【００１８】
好ましくは複数の山部は、内周部側のものを除いて、それぞれ、短軸において最も高さが高く、短軸から長軸に近づくにつれて高さが低くなる。
【００１９】
好ましくは長軸方向にある山部及び谷部の数は、短軸方向にある山部及び谷部の数よりも大きく、長軸において外周部側に位置する少なくとも２つの山部は、共に短軸に近づくにつれて合同し、短軸において外周部に最も近い１つの山部となる。
【００２０】
好ましくは長軸において外周部側に位置する少なくとも２つの山部のうち少なくとも１つは、長軸における内周部側の山部よりも高さが低く、かつ、短軸に近づくにつれて高さが変化しながら他の山部に合同する。
【００２１】
好ましくはダンパーは、繊維状の布にフェノール樹脂を含浸し熱成型すること、フィルム状の板を成型すること、及び熱可塑性樹脂を射出成型することのいずれかにより形成されている。
【００２２】
この発明の他の局面に従うと、スピーカは、上述に記載のダンパーを備える。
【発明の効果】
【００２３】
これらの発明に従うと、短軸方向のコルゲーションの全長と、長軸方向のコルゲーションの全長とは略等しい。したがって、スピーカを小型化でき、かつ、スピーカを高性能化できるダンパー及びそれを用いたスピーカを提供することができる。
【図面の簡単な説明】
【００２４】
【図１】本発明の実施の形態の１つにおけるスピーカの正面図である。
【図２】スピーカの側断面図である。
【図３】図１のＡ−Ａ線断面図である。
【図４】フレームに取り付けられているダンパーを示す正面図である。
【図５】ダンパーの正面図である。
【図６】ダンパーを長径方向が左右方向となるように示した側断面図である。
【図７】ダンパーを短径方向が上下方向となるように示した側断面図である。
【図８】ダンパーを長径方向が左右方向となるように示した側面図である。
【図９】ダンパーを短径方向が上下方向となるように示した側面図である。
【発明を実施するための形態】
【００２５】
以下、本発明の実施の形態の１つにおけるダンパーを用いたスピーカについて説明する。
【００２６】
［実施の形態］
【００２７】
図１は、本発明の実施の形態の１つにおけるスピーカ１の正面図である。
【００２８】
図１に示されるように、スピーカ１は、正面（以下、前面ということがある。）から見て細長型の外形を有している。
【００２９】
図２は、スピーカ１の側断面図である。図３は、図１のＡ−Ａ線断面図である。
【００３０】
以下、図１〜３を参照しながら、スピーカ１の構造について説明する。
【００３１】
図２に示されるように、スピーカ１は、２つの駆動部５，６を有する、細長型のものである。駆動部５，６は、それぞれ、スピーカ１の背面（図２において右側；以下、裏面ということがある。）側に取り付けられている。駆動部５，６は、後述するように、それぞれボイスコイル４２を含む。
【００３２】
スピーカ１は、大まかに、フレーム１０と、振動板ユニット２０と、２つの駆動部５，６とを有している。振動板ユニット２０は、振動板２１と、エッジ２５と、ガスケット２９とを有している。振動板ユニット２０には、キャップ２７，２８が取り付けられている。駆動部５は、磁気回路３０と、ボイスコイルボビン４１と、ボイスコイル４２と、ダンパー１００とを有している。駆動部６は、駆動部５と同一の構成を有している。
【００３３】
駆動部５，６は、それぞれ、フレーム１０の中央部を挟んで上下略対称となる位置に、互いに上下に並ぶように配置されている。
【００３４】
磁気回路３０は、ボトムヨーク３１と、マグネット３２と、トッププレート３３とを有している。磁気回路３０は、フレーム１０に固定されている。磁気回路３０は、外磁型のものである。マグネット３２は、ボトムヨーク３１の底部とトッププレート３３との間に挟まれるようにして、ボトムヨーク３１の中央円筒部の周囲に配置されている。これにより、ボトムヨーク３１の中央円筒部と、トッププレート３３の内周部との隙間に磁気ギャップが構成されている。なお、磁気回路３０は内磁型のものであってもよい。
【００３５】
ボイスコイル４２は、ボイスコイルボビン４１の下部（図２において右側の部分）周面に、巻回されて取り付けられている。本実施の形態において、ボイスコイルボビン４１は、略円筒形状を有している。ボイスコイル４２は、ボイスコイルボビン４１と共に磁気回路３０の磁気ギャップに位置するようにして配置されている。ボイスコイルボビン４１は、ダンパー１００を介して、フレーム１０に支持されている。
【００３６】
振動板ユニット２０は、ガスケット２９に対してエッジ２５を介して振動板２１が取り付けられて構成されている。振動板ユニット２０は、ガスケット２９がフレーム１０に固定されることで、フレーム１０に取り付けられている。エッジ２５の内周部は、振動板２１の外周部に接着されている。図１に示されるように、本実施の形態において、エッジ２５の外周縁は、平面視で２つの半円弧と２つの互いに略平行な直線とを接続して形成される長円形状を有している。他方、フレーム１０は、略矩形形状を有している。ガスケット２９は、エッジ２５の外周縁とフレーム１０の取り付け面との間を覆うように形成されている。エッジ２５の外周縁は、ガスケット２９に接着されている。すなわち、振動板２１は、ガスケット２９にエッジ２５を介して保持されている。
【００３７】
図２に示されるように、振動板２１は、２つの駆動部５，６にそれぞれ対応する２つのコーン部２３，２４を有し、一体に形成されている。すなわち、振動板２１において、駆動部５に対応する部分と、駆動部６に対応する部分とが深くなっている（スピーカ１の正面から窪み、背面側に近づいている。）。また、振動板２１は、その深い部分から振動板２１の外周部に近づくに従って、浅くなるように、すなわちスピーカ１の正面（図２において左端の面）からの距離が小さくなるように形成されている。駆動部５，６の間の部分すなわちスピーカ１の中央部においても、振動板２１の深さは浅くなっている。
【００３８】
コーン部２３は、駆動部５のボイスコイルボビン４１の上部（図２においてボイスコイルボビン４１の左側の部分）に接続されている。また、コーン部２４は、駆動部６のボイスコイルボビン４１の上部に接続されている。これにより、両ボイスコイルボビン４１が前後（図２において左右方向）に変位して振動するのに伴い、振動板２１が振動する。キャップ２７，２８は、それぞれ、コーン部２３，２４の前面側に、それによりボイスコイルボビン４１が覆われるように、接着されている。
【００３９】
駆動部５のボイスコイル４２と駆動部６のボイスコイル４２とは、配線材６５を介して、直列に接続されている。駆動部５のボイスコイル４２は、錦糸線６１を介して、フレーム１０に取り付けられた端子６３に接続されている。駆動部６のボイスコイル４２は、錦糸線６２を介して、フレーム１０に取り付けられた端子６４に接続されている。端子６３，６４間に電圧が印加されることで、スピーカ１が駆動する。
【００４０】
図３に示されるように、ダンパー１００は、内周部１１０と、外周部１２０と、コルゲーション１３０とを有している。ダンパー１００の内周部１１０は、ボイスコイルボビン４１の外周部に接着されて接続されている。外周部１２０は、フレーム１０に接着されて接続されている。すなわち、外周部１２０は、スピーカ１のうち、振動板２１やボイスコイルボビン４１などの可動部ではない、スピーカ１の本体に取り付けられている。これにより、振動板２１と、駆動部５，６のそれぞれのボイスコイルボビン４１やボイスコイル４２とで構成されるスピーカ１の振動系は、２つのダンパー１００と、エッジ２５とで支持されている。
【００４１】
ダンパー１００は、例えば、繊維状の布にフェノール樹脂を含浸し熱成型することにより形成されている。なお、ダンパー１００は、フィルム状の板を成型して形成されたものや、熱可塑性樹脂により射出成型して形成されたものなどであってもよい。
【００４２】
図４は、フレーム１０に取り付けられているダンパー１００を示す正面図である。
【００４３】
図４に示されるように、ダンパー１００は、フレーム１０に、駆動部５，６の磁気回路３０などよりも正面側に取り付けられている。ここで、本実施の形態において、ダンパー１００は、短軸と長軸とを有する略長円形状を有している。すなわち、ダンパー１００は、スピーカ１の幅方向（短軸方向（短径方向ということもある。）；図４において左右方向）の寸法よりも、幅方向に直交する上下方向（長軸方向（長径方向ということもある。）；図４において上下方向）の寸法が長い外形形状を有している。タンパー１００は長軸方向がスピーカ１の上下方向と一致するように配置されている。
【００４４】
図５は、ダンパー１００の正面図である。図６は、ダンパー１００を長軸方向が左右方向となるように示した側断面図である。図７は、ダンパー１００を短軸方向が上下方向となるように示した側断面図である。
【００４５】
以下、図５〜図７を参照して、ダンパー１００について説明する。
【００４６】
図５において、Ａ１は短軸を、Ａ２は長軸を、Ｃはダンパー１００の中心を、Ｘ方向は長軸方向を、Ｙ方向は短軸方向を、それぞれ示している。図５に示されるように、コルゲーション１３０は、内周部１１０と外周部１２０とを接続している。コルゲーション１３０は、複数の山部１３１ａ，１３１ｂ，１３１ｃ，１３１ｄ（以下、これらを区別せず山部１３１と総称することがある。）及び谷部１４１ａ，１４１ｂ，１４１ｃ（以下、これらを区別せず谷部１４１と総称することがある。）を有している。コルゲーション１３０は、短軸部１５０と長軸部１６０とで異なる形状を有している。短軸部１５０は、コルゲーション１３０のうちダンパー１００の中心Ｃに対して短軸方向に位置する部位である。また、長軸部１６０は、コルゲーション１３０のうちダンパー１００の中心Ｃに対して長軸方向に位置する部位である。図５において、ここで短軸部１５０及び長軸部１６０と呼ぶ部位の辺りを、それぞれ２点鎖線で囲んで示している。
【００４７】
本実施の形態において、長軸部１６０の山部１３１及び谷部１４１の数は、短軸部１５０の山部１３１及び谷部１４１の数よりも大きくなっている。図５に示されるように、長軸部１６０には、内周部１１０側から外周部１２０側にかけて、第１の山部１３１ａ、第１の谷部１４１ａ、第２の山部１３１ｂ、第２の谷部１４１ｂ、第３の山部１３１ｃ、第３の谷部１４１ｃ、及び第４の山部１３１ｄが形成されている。長軸部１６０には、４つの山部１３１と、３つの谷部１４１が形成されている。他方、短軸部１５０には、内周部１１０側から外周部１２０側にかけて、第１の山部１３１ａ、第１の谷部１４１ａ、第２の山部１３１ｂ、第２の谷部１４１ｂ、及び第３の山部１３１ｃが形成されている。短軸部１５０には、３つの山部１３１と、２つの谷部１４１が形成されている。短軸部１５０においては、後述のように２つの山部１３１（第３の山部１３１ｃ及び第４の山部１３１ｄ）が合同していることにより、長軸部１６０よりも山部１３１，谷部１４１の数が少なくなっている。
【００４８】
図５に示されるように、複数の山部１３１のうち最内周に位置するもの、すなわち内周部１１０側の第１の山部１３１ａは、平面視で円形を有している。第１の山部１３１ａは、ボイスコイルボビン４１の外周形状と略相似の形状を有している。
【００４９】
第１の谷部１４１ａ、第２の山部１３１ｂ、及び第２の谷部１４１ｂは、中心を長軸方向にずらしたトラック型（長円形）に形成されている。第１の谷部１４１ａ、第２の山部１３１ｂ、及び第２の谷部１４１ｂのそれぞれは、円弧部分の直径が互いに異なり、外周になるほど円弧部分の直径が大きくなっている。
【００５０】
第３の山部１３１ｃ、第３の谷部１４１ｃ、及び第４の山部１３１ｄは、中心を長軸方向にずらしたトラック型であって、互いに円弧部分の直径は同一である。第３の山部１３１ｃ、第３の谷部１４１ｃ、及び第４の山部１３１ｄの円弧部分の直径は、第２の谷部１４１ｂの円弧部分の直径よりも大きくなっている。
【００５１】
図６及び図７に示されるように、短軸部１５０のコルゲーション１３０の全長と、長軸部１６０のコルゲーション１３０の全長とは略等しくなっている。すなわち、短軸方向のコルゲーション１３０の全長と、長軸方向のコルゲーション１３０の全長とは、略等しくなっている。ここで、全長とは、短軸方向又は長軸方向に沿ったコルゲーション１３０の表面の長さをいう。短軸部１５０は、長軸部１６０よりも山部１３１と谷部１４１の数が少ない。すなわち、短軸部１５０においては、長軸部１６０よりも山部１３１と谷部１４１との起伏の差が大きくなっている。
【００５２】
また、短軸部１５０において、山部１３１と谷部１４１との間隔は、すべて略同幅である。他方、長軸部１６０において、第１の山部１３１ａから第２の谷部１４１ｂまでの山部１３１と谷部１４１との間隔は略同幅であるが、第３の山部１３１ｃから第４の山部１３１ｄにかけては、山部１３１と谷部１４１との間隔が変化し、やや広めになっている。
【００５３】
本実施の形態において、図６及び図７に示されるように、複数の谷部１４１ａ〜１４１ｃの高さ（例えば、外周部１２０が位置する平面からの距離すなわちスピーカ１の前面からの距離）は、互いに略一定である。すなわち、コルゲーション１３０の底部は、外周部１２０が位置する平面に平行な平面上に揃って位置している。
【００５４】
複数の山部１３１は、内周部１１０側のものを除いて、それぞれ、短軸部１５０において最も高さが高く、かつ、短軸部１５０から長軸部１６０に近づくにつれて高さが徐々に低くなっている。
【００５５】
すなわち、最内周の第１の山部１３１ａの高さは、略一定である。図６に示されるように、長軸部１６０の山部１３１の高さは、内周部１１０側から外周部１２０側に近くなるほど低くなっている。他方、図７に示されるように、短軸部１５０の山部１３１の高さは、内周部１１０側から外周部１２０側に近くなるほど高くなっている。
【００５６】
より具体的には、第２の山部１３１ｂの高さは、短軸部１５０においては第１の山部１３１ａよりも高く、長軸部１６０においては第１の山部１３１ａよりわずかに低くなっている。第２の山部１３１ｂの高さは、短軸部１５０から長軸部１６０に近づくにつれて、徐々に低くなっている。
【００５７】
第３の山部１３１ｃの高さは、短軸部１５０においては第２の山部１３１ｂよりわずかに高くなっており、長軸部１６０においては第２の山部１３１ｂより低くなっている。第３の山部１３１ｃの高さは、短軸部１５０から長軸部１６０に近づくにつれて、徐々に低くなっている。
【００５８】
長軸部１６０において、第４の山部１３１ｄの高さは、第３の山部１３１ｃよりもさらに山の高さが低くなっている。第４の山部１３１ｄの高さは、長軸部１６０から短軸部１５０に近づくにつれて徐々に高くなる。
【００５９】
ここで、図５に示されるように、長軸部１６０から短軸部１５０に近づくにつれて、第４の山部１３１ｄは、第３の山部１３１ｃに、高さが変わりながら合同する。
【００６０】
すなわち、長軸部１６０で外周部１２０側に位置する第３の山部１３１ｃと第４の山部１３１ｄとは、共に、短軸部１５０に近づくにつれて合同する。第３の山部１３１ｃと第４の山部１３１ｄとは、短軸部１５０において１つの第３の山部１３１ｃとなり、これに伴って第３の谷部１４１ｃは消滅する。上述したとおり、第３の山部１３１ｃと第４の山部１３１ｄとは、共に、長軸部１６０において内周部１１０側の第１の山部１３１ａや第２の山部１３１ｂよりも高さが低い。第３の山部１３１ｃ及び第４の山部１３１ｄは、短軸部１５０に近づくにつれて高さが高くなり、互いに合同する。
【００６１】
図８は、ダンパー１００を長軸方向が左右方向となるように示した側面図である。
【００６２】
上記のようにコルゲーション１３０が形成されていることで、図８に示されるように、ダンパー１００の高さは、長軸方向が左右方向となるように短軸方向から見て、略中央の短軸部１５０が最も高く、両側部となる長軸部１６０にかけて低くなっている。短軸部１５０において第３の山部１３１ｃの高さが他の山部１３１よりも高いので、短軸方向から見て他の山部１３１は見えない。
【００６３】
図９は、ダンパー１００を短軸方向が上下方向となるように示した側面図である。
【００６４】
図９に示されるように、ダンパー１００の高さは、短軸方向が上下方向となる長軸方向から見て、略中央の長軸部１６０が最も低く、両側部となる短軸部１５０にかけて徐々に高くなっている。長軸部１６０においては、外周部１２０側の第３の山部１３１ｃ、第４の山部１３１ｄの高さが外周部１２０に近づくにつれて徐々に低くなっているので、長軸方向から見ると、最外周の第４の山部１３１ｄだけでなく、例えば第３の山部１３１ｃ、第２の山部１３１ｂなど、他の山部１３１も見える。
【００６５】
［実施の形態における効果］
【００６６】
本実施の形態においては、以上のように構成されたダンパー１００を用いてスピーカ１が構成されていることにより、スピーカ１を、音質及び耐入力性に優れたものにすることができる。スピーカ１を、細長型の小型なものにでき、かつ、高性能化できる。
【００６７】
すなわち、ダンパー１００において、最内周の第１の山部１３１ａが一定の高さの円形であるので、小入力時の直線性を確保できる。また、短軸部１５０と長軸部１６０とで、コルゲーション１３０の全長は略等しくなっている。したがって、ダンパー１００の振幅量がほぼ同じになり、大入力時にローリングが発生することを防ぐことができる。
【００６８】
本実施の形態では、長軸部１６０においては外周部１２０側に近づくほど山部１３１の高さが低く、また、長軸部１６０から短軸部１５０に近づくにつれて山部１３１の高さが変わる。したがって、長軸部の山の高さが外周ほど低いことにより、細長型の振動板２１の長径部の傾斜が緩いことによる振動板２１のダンパー１００への接触が防止できる。
【００６９】
また、上記のスピーカ１では、長軸部１６０と短軸部１５０とで山部１３１の数が変えられているので、長軸部１６０と短軸部１５０とでスティフネスを同じに保つことができる。したがって、ダンパー１００全体のスティフネスを下げることができ、最低共振周波数を低減することができる。長軸部１６０から短軸部１５０にかけて、徐々に、第３の山部１３１ｃと第４の山部１３１ｄとが合同するので、ダンパー１００の全周にわたってダンパー１００のスティフネスが急激に変化することがない。したがって、スピーカ１をより適正に動作させることができ、スピーカ１を高性能化できる。
【００７０】
［その他］
【００７１】
上記の実施の形態ではボイスコイルボビンが円形の筒状であるが、ボイスコイルボビンの形状はトラック型であったり楕円型であったりしてもよい。この場合、例えば最内周の山が、ボイスコイルボビン４１と相似形となるように構成されていればよく、小入力時の直線性を高めることができる。
【００７２】
その他ダンパーの細部の形状は上述に限られるものではない。例えば、山部や谷部の数は、上述に限られず、さらに多くても、少なくてもよい。また、山部及び谷部の数は、長軸部と短軸部とで等しくてもよい。
【００７３】
長軸方向と短軸方向とで、山部の高さが上記のように徐変するものでなくてもよい。長軸部のコルゲーションの全長と短軸部のコルゲーションの全長が略等しくなるようにすることにより、長軸部と短軸部とでダンパーの振幅量を略等しくすることができる。したがって、ローリングの発生を防止できる。
【００７４】
また、長軸部と短軸部において山部の数の差をより大きくしてもよい。この場合、長軸部の３つ以上の山部が短軸部に近づくにつれて短軸部の最外周に高さを変えながら合同するようにしてもよい。これにより、ダンパー全体のスティフネスを均一に保ちながら、最低共振周波数を低減させることができる。
【００７５】
上記実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００７６】
１  スピーカ
５，６  駆動部
１０  フレーム
２１  振動板
４１  ボイスコイルボビン
１００  ダンパー
１１０  内周部
１２０  外周部
１３０  コルゲーション部
１３１ａ  第１の山部
１３１ｂ  第２の山部
１３１ｃ  第３の山部
１３１ｄ  第４の山部
１４１ａ  第１の谷部
１４１ｂ  第２の谷部
１４１ｃ  第３の谷部
１５０  短軸部
１６０  長軸部
【図１】
2013051513.tif 000003
【図２】
2013051513.tif 000004
【図３】
2013051513.tif 000005
【図４】
2013051513.tif 000006
【図５】
2013051513.tif 000007
【図８】
2013051513.tif 000008
【図９】
2013051513.tif 000009
【図６】
2013051513.tif 000010
【図７】
2013051513.tif 000011